(57)【要約】【課題】端末のハンドオーバ時に、移動先基地局のＡｄｍｉｓｓｉｏｎ  Ｃｏｎｔｒｏｌの制限によりハンドオーバが失敗するケースを減らすこと。【解決手段】本発明の基地局は、端末のうち帯域保証が必要となるＱｏＳクラスに属する制御対象の端末に割り当て可能な帯域中の空き帯域を、近隣基地局との間で互いに通知する帯域情報通知部と、自局が制御対象の端末の移動元基地局となる場合、近隣基地局ごとに、当該近隣基地局の空き帯域に基づいて、当該制御対象の端末がＡｄｍｉｓｓｉｏｎ  Ｃｏｎｔｒｏｌにより収容不可能と判定されるか否かを予測し、収容不可能と判定されると予測した近隣基地局については、制御対象の端末の移動先基地局の候補から除外する候補選定部と、を有する。【選択図】図１
2010147797.tif 000002
【特許請求の範囲】
【請求項１】
端末と、前記端末のうち帯域保証が必要となるＱｏＳ（Quality of Service）クラスに属する制御対象の端末のハンドオーバ時に、自局が当該制御対象の端末の移動先基地局となる場合、当該制御対象の端末について、適応変調を実行した場合に自局に収容不可能か否かを判定するＡｄｍｉｓｓｉｏｎ  Ｃｏｎｔｒｏｌを実行する基地局と、を有してなる無線通信システムであって、
前記基地局は、
前記制御対象の端末に割り当て可能な帯域中の空き帯域を、近隣基地局との間で互いに通知する帯域情報通知部と、
自局が前記制御対象の端末の移動元基地局となる場合、近隣基地局ごとに、当該近隣基地局の前記空き帯域に基づいて、当該制御対象の端末が前記Ａｄｍｉｓｓｉｏｎ  Ｃｏｎｔｒｏｌにより収容不可能と判定されるか否かを予測し、収容不可能と判定されると予測した近隣基地局については、前記制御対象の端末の移動先基地局の候補から除外する候補選定部と、を有する無線通信システム。
【請求項２】
前記基地局は、
自局が前記制御対象の端末の移動元基地局となる場合、当該制御対象の端末から、当該制御対象の端末と近隣基地局との間の無線通信の品質に関する無線情報を収集する無線情報収集部と、
自局が前記制御対象の端末の移動元基地局となる場合、近隣基地局ごとに、当該近隣基地局の前記無線情報に基づいて、当該近隣基地局が前記制御対象の端末の移動先基地局となる場合の変調方式および符号化率の組み合わせを推定する推定部と、をさらに有し、
前記候補選定部は、近隣基地局が前記制御対象の端末の移動先基地局となる場合、当該近隣基地局において、前記推定部で推定された組み合わせで適応変調を実行することを前提として、前記予測を行う、請求項１に記載の無線通信システム。
【請求項３】
前記無線情報収集部は、前記制御対象の端末から、当該制御対象の端末が近隣基地局から受信した信号のＣＩＮＲ（Carrier to Interference plus Noise Ratio）およびＲＳＳＩ（Received Signal Strength Indication）の情報を、前記無線情報として収集する、請求項１または２に記載の無線通信システム。
【請求項４】
端末のうち帯域保証が必要となるＱｏＳクラスに属する制御対象の端末のハンドオーバ時に、自局が当該制御対象の端末の移動先基地局となる場合、当該制御対象の端末について、適応変調を実行した場合に自局に収容不可能か否かを判定するＡｄｍｉｓｓｉｏｎ  Ｃｏｎｔｒｏｌを実行する基地局であって、
前記制御対象の端末に割り当て可能な帯域中の空き帯域を、近隣基地局との間で互いに通知する帯域情報通知部と、
自局が前記制御対象の端末の移動元基地局となる場合、近隣基地局ごとに、当該近隣基地局の前記空き帯域に基づいて、当該制御対象の端末が前記Ａｄｍｉｓｓｉｏｎ  Ｃｏｎｔｒｏｌにより収容不可能と判定されるか否かを予測し、収容不可能と判定されると予測した近隣基地局については、前記制御対象の端末の移動先基地局の候補から除外する候補選定部と、を有する基地局。
【請求項５】
自局が前記制御対象の端末の移動元基地局となる場合、当該制御対象の端末から、当該制御対象の端末と近隣基地局との間の無線通信の品質に関する無線情報を収集する無線情報収集部と、
自局が前記制御対象の端末の移動元基地局となる場合、近隣基地局ごとに、当該近隣基地局の前記無線情報に基づいて、当該近隣基地局が前記制御対象の端末の移動先基地局となる場合の変調方式および符号化率の組み合わせを推定する推定部と、をさらに有し、
前記候補選定部は、近隣基地局が前記制御対象の端末の移動先基地局となる場合、当該近隣基地局において、前記推定部で推定された組み合わせで適応変調を実行することを前提として、前記予測を行う、請求項４に記載の基地局。
【請求項６】
前記無線情報収集部は、前記制御対象の端末から、当該制御対象の端末が近隣基地局から受信した信号のＣＩＮＲおよびＲＳＳＩの情報を、前記無線情報として収集する、請求項４または５に記載の基地局。
【請求項７】
端末のうち帯域保証が必要となるＱｏＳクラスに属する制御対象の端末のハンドオーバ時に、自局が当該制御対象の端末の移動先基地局となる場合、当該制御対象の端末について、適応変調を実行した場合に自局に収容不可能か否かを判定するＡｄｍｉｓｓｉｏｎ  Ｃｏｎｔｒｏｌを実行する基地局による無線通信方法であって、
前記制御対象の端末に割り当て可能な帯域中の空き帯域を、近隣基地局との間で互いに通知する帯域情報通知ステップと、
自局が前記制御対象の端末の移動元基地局となる場合、近隣基地局ごとに、当該近隣基地局の前記空き帯域に基づいて、当該制御対象の端末が前記Ａｄｍｉｓｓｉｏｎ  Ｃｏｎｔｒｏｌにより収容不可能と判定されるか否かを予測し、収容不可能と判定されると予測した近隣基地局については、前記制御対象の端末の移動先基地局の候補から除外する候補選定ステップと、を有する無線通信方法。
【請求項８】
自局が前記制御対象の端末の移動元基地局となる場合、当該制御対象の端末から、当該制御対象の端末と近隣基地局との間の無線通信の品質に関する無線情報を収集する無線情報収集ステップと、
自局が前記制御対象の端末の移動元基地局となる場合、近隣基地局ごとに、当該近隣基地局の前記無線情報に基づいて、当該近隣基地局が前記制御対象の端末の移動先基地局となる場合の変調方式および符号化率の組み合わせを推定する推定ステップと、をさらに有し、
前記候補選定ステップでは、近隣基地局が前記制御対象の端末の移動先基地局となる場合、当該近隣基地局において、前記推定された組み合わせで適応変調を実行することを前提として、前記予測を行う、請求項７に記載の無線通信方法。
【請求項９】
前記無線情報収集ステップでは、前記制御対象の端末から、当該制御対象の端末が近隣基地局から受信した信号のＣＩＮＲおよびＲＳＳＩの情報を、前記無線情報として収集する、請求項７または８に記載の無線通信方法。
【請求項１０】
端末のうち帯域保証が必要となるＱｏＳクラスに属する制御対象の端末のハンドオーバ時に、自局が当該制御対象の端末の移動先基地局となる場合、当該制御対象の端末について、適応変調を実行した場合に自局に収容不可能か否かを判定するＡｄｍｉｓｓｉｏｎ  Ｃｏｎｔｒｏｌを実行する基地局に、
前記制御対象の端末に割り当て可能な帯域中の空き帯域を、近隣基地局との間で互いに通知する帯域情報通知手順と、
自局が前記制御対象の端末の移動元基地局となる場合、近隣基地局ごとに、当該近隣基地局の前記空き帯域に基づいて、当該制御対象の端末が前記Ａｄｍｉｓｓｉｏｎ  Ｃｏｎｔｒｏｌにより収容不可能と判定されるか否かを予測し、収容不可能と判定されると予測した近隣基地局については、前記制御対象の端末の移動先基地局の候補から除外する候補選定手順と、を実行させるプログラム。
【請求項１１】
前記基地局に、
自局が前記制御対象の端末の移動元基地局となる場合、当該制御対象の端末から、当該制御対象の端末と近隣基地局との間の無線通信の品質に関する無線情報を収集する無線情報収集手順と、
自局が前記制御対象の端末の移動元基地局となる場合、近隣基地局ごとに、当該近隣基地局の前記無線情報に基づいて、当該近隣基地局が前記制御対象の端末の移動先基地局となる場合の変調方式および符号化率の組み合わせを推定する推定手順と、をさらに実行させ、
前記候補選定手順では、近隣基地局が前記制御対象の端末の移動先基地局となる場合、当該近隣基地局において、前記推定された組み合わせで適応変調を実行することを前提として、前記予測を行う、請求項１０に記載のプログラム。
【請求項１２】
前記無線情報収集手順では、前記制御対象の端末から、当該制御対象の端末が近隣基地局から受信した信号のＣＩＮＲおよびＲＳＳＩの情報を、前記無線情報として収集する、請求項１０または１１に記載のプログラム。
【発明の詳細な説明】
【技術分野】
【０００１】
本発明は、無線通信システム、基地局、無線通信方法、プログラムに関する。
【背景技術】
【０００２】
ＷｉＭＡＸ（Worldwide Interoperability for Microwave Access）  Ｆｏｒｕｍでは、ＩＥＥＥ（Institute of Electrical and Electronic Engineers）８０２．１６ｅ標準を基に、ＷｉＭＡＸが策定されている。ＷｉＭＡＸの無線通信システムは、例えば、特許文献１に開示されている。
【０００３】
ＷｉＭＡＸの無線通信システムでは、データの送受信がサブフレーム（Sub-frame）単位で行われ、多元接続方式にＯＦＤＭＡ（Orthogonal Frequency Division Multiple Access）方式が採用され、また、複信方式にＴＤＤ（Time Division Duplex）方式が採用されている。
【０００４】
ＯＦＤＭＡ方式とは、周波数方向をサブチャネル（subchannel）で、時間方向をシンボル（symbol）でそれぞれ区切り、この区切られた領域を表すスロット（Slot）単位で、端末であるＭＳ（Mobile Station）に帯域を割り当てる方式である。
【０００５】
ＴＤＤ方式とは、基地局であるＢＳ（Base Station）とＭＳとの間のＤＬ（Down Link）リンクおよびＵＬ（Up Link）リンクに同一の周波数を用いて、時間軸でＤＬサブフレームおよびＵＬサブフレームを切り替える方式である。
【０００６】
ここで、ＷｉＭＡＸの無線通信システムにおけるサブフレームの構造の概略について、図５を参照して説明する。ここでは、ＤＬサブフレームを例に挙げて説明する。
【０００７】
ＤＬサブフレームは、最初に、Ｐｉｌｏｔ信号を含むＰｒｅａｍｂｌｅ領域、各ＭＳにどのスロットを割り当てたかを示す信号を含むＭＡＰ領域等が配置され、これに続く領域（DL Burst）がデータを送信するための帯域として各ＭＳに割り当てられる。
【０００８】
また、ＷｉＭＡＸの無線通信システムは、適応変調方式に対応している。適応変調方式とは、ＢＳが、ＭＳの伝搬環境に応じて、データの変調方式および符号化率を適応的に変更する方式である。適応変調は、例えば、ＭＳが、移動元基地局であるＳｅｒｖｉｎｇ  ＢＳから移動先基地局であるＴａｒｇｅｔ  ＢＳへハンドオーバする場合、Ｔａｒｇｅｔ  ＢＳで行われる。なお、ＷｉＭＡＸでは、変調方式および符号化率の組み合わせに応じたデータ伝送速度が規定されており、このデータ伝送速度は物理レートと称されている。
【０００９】
また、ＷｉＭＡＸの無線通信システムは、ＱｏＳ（Quality of Service）クラスにも対応している。すなわち、ＷｉＭＡＸの無線通信システムでは、ＵＧＳ（Unsolicited Grant Service）、ＥＲＴ−ＶＲ（Extended Real Time-Variable Rate Service）、ＲＴ（Real Time）−ＶＲ、ＮＲＴ（Non Real Time）−ＶＲといった特定のＱｏＳクラスに属するＭＳに対して帯域保証を行う。
【００１０】
ここで、適応変調と帯域保証との関係について説明する。
【００１１】
帯域保証を行うに際して、サブフレーム中の１スロットあたりに必要となるバイト数は、変調方式および符号化率の組み合わせに応じて異なり、低物理レートの組み合わせの場合にバイト数が少なくなる。例えば、低物理レートのＱＰＳＫ（Quadrature Phase Shift Keying）  １／２（前半部分が変調方式を、後半部分が符号化率を示す。以下、同じ）の場合は６バイト、高物理レートの１６ＱＡＭ（Quadrature Amplitude Modulation）  １／２の場合は１２バイトが必要となる。
【００１２】
言い換えれば、帯域保証に必要となるスロット数は、低物理レートの組み合わせの場合に、より多くなる。例えば、あるＭＳが、１サブフレームあたり１２０バイトのデータを送信するには、低物理レートのＱＰＳＫ  １／２の場合は２０スロット、１６ＱＡＭ  １／２の場合は１０スロットが必要となる。
【００１３】
そのため、ＢＳは、帯域保証が必要となるＱｏＳクラスに属するＭＳに対して適応変調を実行する際、変調方式および符号化率の組み合わせによっては、そのＭＳに割り当てるスロット数が不足し、そのＭＳを収容できない可能性がある。
【００１４】
そこで、ＷｉＭＡＸの無線通信システムでは、ＢＳは、適応変調を実行するＭＳのうち帯域保証が必要となるＱｏＳクラスに属するＭＳを制御対象として、Ａｄｍｉｓｓｉｏｎ  Ｃｏｎｔｒｏｌと称される制御を行う。Ａｄｍｉｓｓｉｏｎ  Ｃｏｎｔｒｏｌとは、制御対象のＭＳについて、適応変調を実行した場合に自局に収容可能か否かを判定する制御をいう。
【特許文献１】特開２００７−２６６７１９号公報
【発明の開示】
【発明が解決しようとする課題】
【００１５】
上述したように、ＷｉＭＡＸの無線通信システムでは、例えば、ＭＳのハンドオーバ時に、Ｔａｒｇｅｔ  ＢＳが、そのＭＳに対する適応変調を実行するに際して、そのＭＳが帯域保証が必要となるＱｏＳクラスに属する場合には、Ａｄｍｉｓｓｉｏｎ  Ｃｏｎｔｒｏｌを実行する。
【００１６】
このとき、ＭＳは、Ｔａｒｇｅｔ  ＢＳとの間で無線リソースの設定等のハンドオーバ動作を開始した後に、そのＴａｒｇｅｔ  ＢＳのＡｄｍｉｓｓｉｏｎ  Ｃｏｎｔｒｏｌにより収容不可能と判定される場合がある。この場合、ＭＳは、Ｔａｒｇｅｔ  ＢＳとの接続が拒否され、ハンドオーバが失敗するため、別のＴａｒｇｅｔ  ＢＳとの間で再度ハンドオーバ動作を行わなければならないという課題がある。
【００１７】
そこで、本発明の目的は、上述した課題を解決し、ＭＳのハンドオーバ時に、Ｔａｒｇｅｔ  ＢＳのＡｄｍｉｓｓｉｏｎ  Ｃｏｎｔｒｏｌの制限によりハンドオーバが失敗するケースを減らすことができる無線通信システム、基地局、無線通信方法、プログラムを提供することにある。
【課題を解決するための手段】
【００１８】
本発明の無線通信システムは、
端末と、前記端末のうち帯域保証が必要となるＱｏＳ（Quality of Service）クラスに属する制御対象の端末のハンドオーバ時に、自局が当該制御対象の端末の移動先基地局となる場合、当該制御対象の端末について、適応変調を実行した場合に自局に収容不可能か否かを判定するＡｄｍｉｓｓｉｏｎ  Ｃｏｎｔｒｏｌを実行する基地局と、を有してなる無線通信システムであって、
前記基地局は、
前記制御対象の端末に割り当て可能な帯域中の空き帯域を、近隣基地局との間で互いに通知する帯域情報通知部と、
自局が前記制御対象の端末の移動元基地局となる場合、近隣基地局ごとに、当該近隣基地局の前記空き帯域に基づいて、当該制御対象の端末が前記Ａｄｍｉｓｓｉｏｎ  Ｃｏｎｔｒｏｌにより収容不可能と判定されるか否かを予測し、収容不可能と判定されると予測した近隣基地局については、前記制御対象の端末の移動先基地局の候補から除外する候補選定部と、を有する。
【００１９】
本発明の基地局は、
端末のうち帯域保証が必要となるＱｏＳクラスに属する制御対象の端末のハンドオーバ時に、自局が当該制御対象の端末の移動先基地局となる場合、当該制御対象の端末について、適応変調を実行した場合に自局に収容不可能か否かを判定するＡｄｍｉｓｓｉｏｎ  Ｃｏｎｔｒｏｌを実行する基地局であって、
前記制御対象の端末に割り当て可能な帯域中の空き帯域を、近隣基地局との間で互いに通知する帯域情報通知部と、
自局が前記制御対象の端末の移動元基地局となる場合、近隣基地局ごとに、当該近隣基地局の前記空き帯域に基づいて、当該制御対象の端末が前記Ａｄｍｉｓｓｉｏｎ  Ｃｏｎｔｒｏｌにより収容不可能と判定されるか否かを予測し、収容不可能と判定されると予測した近隣基地局については、前記制御対象の端末の移動先基地局の候補から除外する候補選定部と、を有する。
【００２０】
本発明の無線通信方法は、
端末のうち帯域保証が必要となるＱｏＳクラスに属する制御対象の端末のハンドオーバ時に、自局が当該制御対象の端末の移動先基地局となる場合、当該制御対象の端末について、適応変調を実行した場合に自局に収容不可能か否かを判定するＡｄｍｉｓｓｉｏｎ  Ｃｏｎｔｒｏｌを実行する基地局による無線通信方法であって、
前記制御対象の端末に割り当て可能な帯域中の空き帯域を、近隣基地局との間で互いに通知する帯域情報通知ステップと、
自局が前記制御対象の端末の移動元基地局となる場合、近隣基地局ごとに、当該近隣基地局の前記空き帯域に基づいて、当該制御対象の端末が前記Ａｄｍｉｓｓｉｏｎ  Ｃｏｎｔｒｏｌにより収容不可能と判定されるか否かを予測し、収容不可能と判定されると予測した近隣基地局については、前記制御対象の端末の移動先基地局の候補から除外する候補選定ステップと、を有する。
【００２１】
本発明のプログラムは、
端末のうち帯域保証が必要となるＱｏＳクラスに属する制御対象の端末のハンドオーバ時に、自局が当該制御対象の端末の移動先基地局となる場合、当該制御対象の端末について、適応変調を実行した場合に自局に収容不可能か否かを判定するＡｄｍｉｓｓｉｏｎ  Ｃｏｎｔｒｏｌを実行する基地局に、
前記制御対象の端末に割り当て可能な帯域中の空き帯域を、近隣基地局との間で互いに通知する帯域情報通知手順と、
自局が前記制御対象の端末の移動元基地局となる場合、近隣基地局ごとに、当該近隣基地局の前記空き帯域に基づいて、当該制御対象の端末が前記Ａｄｍｉｓｓｉｏｎ  Ｃｏｎｔｒｏｌにより収容不可能と判定されるか否かを予測し、収容不可能と判定されると予測した近隣基地局については、前記制御対象の端末の移動先基地局の候補から除外する候補選定手順と、を実行させる。
【発明の効果】
【００２２】
本発明においては、端末のハンドオーバ時に、移動先基地局のＡｄｍｉｓｓｉｏｎ  Ｃｏｎｔｒｏｌの制限によりハンドオーバが失敗するケースを減らすことができるという効果が得られる。
【発明を実施するための最良の形態】
【００２３】
以下に、本発明を実施するための最良の形態について図面を参照して説明する。
【００２４】
なお、以下の実施形態では、無線通信システムが、ＷｉＭＡＸの無線通信システムである場合を例に挙げて説明するが、本発明はこれに限定されない。
【００２５】
図１に示すように、本実施形態の無線通信システムは、端末（以下、「ＭＳ」と称する）１０と、基地局（以下、「ＢＳ」と称する）２０−１〜２０−ｎと、を有している。なお、図１においては、説明を簡単にするため、ＭＳ１０の台数を１台としたが、本発明はこれに限定されない。
【００２６】
ＭＳ１０は、帯域保証が必要となるＱｏＳクラスに属する端末であり、ＢＳ２０−１〜２０−ｎと無線通信を行う。
【００２７】
ＢＳ２０−１〜２０−ｎは、ＭＳ１０と無線通信を行う基地局である。なお、ＢＳ２０−１〜２０−ｎは、不図示のネットワークを介して互いに接続されている。
【００２８】
図２に示すように、ＢＳ２０−１〜２０−ｎは、無線通信部２１と、ネットワーク通信部２２と、ＲＲＣ（Radio Resource Controller）部２３と、を有している。
【００２９】
また、ＲＲＣ部２３は、無線情報収集部２４と、帯域情報通知部２５と、変調方式推定部２６と、Ｔａｒｇｅｔ  ＢＳ候補選定部２７と、Ａｄｍｉｓｓｉｏｎ  Ｃｏｎｔｒｏｌ部２８と、を有している。
【００３０】
なお、図２は、ＢＳ２０−１〜２０−ｎの構成要素のうち、本発明の本質的部分となる構成要素のみを示し、その他の構成要素は省略している。
【００３１】
無線通信部２１は、ＭＳ１０との間で無線通信を行う。
【００３２】
ネットワーク通信部２２は、自局以外のＢＳとの間でネットワーク通信を行う。
【００３３】
無線情報収集部２４は、ＭＳ１０のＳｅｒｖｉｎｇ  ＢＳとなっている場合、ＭＳ１０から、ＭＳ１０と近隣ＢＳとの間で行われている無線通信の品質に関する無線情報を、無線通信部２１を介して収集する。
【００３４】
本実施形態では、無線情報を、ＭＳ１０が近隣ＢＳから受信した信号のＲＳＳＩ（Received Signal Strength Indication：受信電界強度）およびＣＩＮＲ（Carrier to Interference plus Noise Ratio：信号対干渉雑音比）とするが、本発明はこれに限定されない。
【００３５】
帯域情報通知部２５と、近隣ＢＳとの間で帯域に関する情報を、ネットワーク通信部２２を介して互いに通知する。
【００３６】
ここで、帯域情報通知部２５が通知する情報について、図３を参照して説明する。ここでは、ＤＬサブフレームを例に挙げて説明する。なお、図３のＤＬサブフレームの状態は図５と同じであるものとする。
【００３７】
本実施形態では、ＤＬサブフレームにおいて、帯域保証が必要となるＱｏＳクラスに属するＭＳに割り当てる帯域を、Ａｄｍｉｓｓｉｏｎ  Ｃｏｎｔｒｏｌのパラメータ（Ａｄｍｉｓｓｉｏｎ  Ｔｈｒｅｓｈｏｌｄ）で設定する。
【００３８】
例えば、無線通信システムの通信条件が、以下であるとする。
【００３９】
（条件）
・無線通信システムで使用する周波数帯域＝１０ＭＨｚ
・ＤＬサブフレームとＵＬサブフレームのシンボル比であるＤＬ：ＵＬ比＝２９：１８
・Ａｄｍｉｓｓｉｏｎ  Ｔｈｒｅｓｈｏｌｄ＝５０％
この場合、ＭＳに割り当てる使用可能な帯域は４２０スロットとなる。また、このうち帯域保証が必要となるＱｏＳクラスに属するＭＳに割り当てる帯域は２１０スロット（＝４２０スロット×５０％）となる。以降、帯域保証が必要となるＱｏＳクラスに属するＭＳに割り当てる帯域を、「予約帯域」と称する。
【００４０】
このように予約帯域に制限を設けたのは、使用可能な帯域すべてを予約帯域として使用してしまうと、あるＭＳに対する無線状態が悪くなっても、低物理レートの変調方式および符号化率の組み合わせへの適応変調を実行することができず（より多くのスロットが必要となる）、通信不可となる可能性があるためである。使用可能な全帯域と予約帯域との差分（上記例の場合、４２０−２１０＝２１０スロット）を適応変調時の余裕として残しておくことで、無線状態が悪くなった場合でも、低物理レートの変調方式および符号化率の組み合わせへの適応変調を実行可能とすることができる。
【００４１】
本実施形態では、帯域情報通知部２５は、帯域保証が必要となるＱｏＳクラスに属するＭＳに割り当てることができる空き帯域、すなわち予約帯域中の空き帯域を、近隣ＢＳとの間で互いに通知する。この通知方法として、例えば、近接ＢＳ間で互いに送信しているＳｐａｒｅ  Ｃａｐａｃｉｔｙ  Ｒｅｐｏｒｔメッセージに含めて送信する方法が考えられるが、本発明はこれに限定されない。
【００４２】
変調方式推定部２６は、ＭＳ１０のＳｅｒｖｉｎｇ  ＢＳとなっている場合、近隣ＢＳごとに、その近隣ＢＳのＲＳＳＩおよびＣＩＮＲの情報に基づいて、その近隣ＢＳがＭＳ１０のＴａｒｇｅｔ  ＢＳとなる場合の変調方式および符号化率の組み合わせを推定する。この推定方法として、例えば、ＲＳＳＩおよびＣＩＮＲと、変調方式および符号化率の組み合わせと、を対応付けたテーブルを予め保持しておき、このテーブルを参照することで行う方法が考えられるが、本発明はこれに限定されない。
【００４３】
Ｔａｒｇｅｔ  ＢＳ候補選定部２７は、ＭＳ１０のＳｅｒｖｉｎｇ  ＢＳとなっている場合、近隣ＢＳごとに、その近隣ＢＳの予約帯域中の空き帯域の情報に基づいて、その近隣ＢＳでのＡｄｍｉｓｓｉｏｎ  ＣｏｎｔｒｏｌによりＭＳ１０が収容不可能と判定されるか否かを予測する。その際、Ｔａｒｇｅｔ  ＢＳ候補選定部２７は、近隣ＢＳにおいて、変調方式推定部２６で推定された変調方式および符号化率の組み合わせで適応変調を実行することを前提とする。
【００４４】
そして、Ｔａｒｇｅｔ  ＢＳ候補選定部２７は、ＭＳ１０が収容不可能と判定されると予測した近隣ＢＳについては、ＭＳ１０のＴａｒｇｅｔ  ＢＳの候補から除外し、最終的に残余したＴａｒｇｅｔ  ＢＳの候補をＭＳ１０に通知する。
【００４５】
以降、ＭＳ１０は、Ｓｅｒｖｉｎｇ  ＢＳから通知されたＴａｒｇｅｔ  ＢＳの候補のいずれかをＴａｒｇｅｔ  ＢＳとして、ハンドオーバを行うことになる。
【００４６】
以下、本実施形態の無線通信システムにおいて、ＢＳ２０−１がＭＳ１０のＳｅｒｖｉｎｇ  ＢＳとなっている場合のＢＳ２０−１の動作について説明する。
【００４７】
ここでは、ＢＳ２０−１の近隣ＢＳがＢＳ２０−２〜２０−ｎであるものとする。また、ＢＳ２０−１は、近隣ＢＳ２０−２〜２０−ｎとの間で、予約帯域中の空き帯域を互いに通知しているものとする。
【００４８】
まず、ステップＳ１において、Ｔａｒｇｅｔ  ＢＳ候補選定部２７は、近隣ＢＳ２０−２〜２０−ｎを、Ｔａｒｇｅｔ  ＢＳの候補とし、その中から１つの近隣ＢＳを選択する。ここでは、まず、近隣ＢＳ２０−２を選択したとする。
【００４９】
次に、ステップＳ２において、変調方式推定部２６は、近隣ＢＳ２０−２のＲＳＳＩおよびＣＩＮＲの情報に基づいて、近隣ＢＳ２０−２がＭＳ１０のＴａｒｇｅｔ  ＢＳとなる場合の変調方式および符号化率の組み合わせを推定する。
【００５０】
次に、ステップＳ３において、Ｔａｒｇｅｔ  ＢＳ候補選定部２７は、近隣ＢＳ２０−２において、変調方式推定部２６で推定された変調方式および符号化率の組み合わせで適応変調を実行することを前提として、近隣ＢＳ２０−２の予約帯域中の空き帯域の情報に基づいて、近隣ＢＳ２０−２でのＡｄｍｉｓｓｉｏｎ  ＣｏｎｔｒｏｌによりＭＳ１０が収容不可能と判定されて、ＭＳ１０との接続が拒否されるか否かを予測する。
【００５１】
ステップＳ４において、近隣ＢＳ２０−２でＭＳ１０との接続が拒否されると予測された場合は、ステップＳ５において、Ｔａｒｇｅｔ  ＢＳ候補選定部２７は、近隣ＢＳ２０−２をＭＳ１０のＴａｒｇｅｔ  ＢＳの候補から除外する。
【００５２】
一方、ステップＳ４において、近隣ＢＳ２０−２でＭＳ１０との接続が許可されると予測された場合は、Ｔａｒｇｅｔ  ＢＳ候補選定部２７は、近隣ＢＳ２０−２をＭＳ１０のＴａｒｇｅｔ  ＢＳの候補から除外せず、そのままとする。
【００５３】
次に、ステップＳ６において、Ｔａｒｇｅｔ  ＢＳ候補選定部２７は、Ｔａｒｇｅｔ  ＢＳの候補中に未選択の近隣ＢＳがあれば、ステップＳ１に戻る。
【００５４】
これにより、全ての近隣ＢＳ２０−２〜２０−ｎについて、Ｔａｒｇｅｔ  ＢＳの候補から除外されるか否かが判定される。
【００５５】
その後、ステップＳ７において、Ｔａｒｇｅｔ  ＢＳ候補選定部２７は、最終的に残余したＴａｒｇｅｔ  ＢＳの候補をＭＳ１０に通知する。
【００５６】
以降、ＭＳ１０は、ＢＳ２０−１から通知されたＴａｒｇｅｔ  ＢＳの候補のいずれかをＴａｒｇｅｔ  ＢＳとして、ハンドオーバを行うことになる。
【００５７】
上述したように本実施形態においては、ＢＳ２０−１〜２０−ｎは、近隣ＢＳとの間で予約帯域中の空き帯域を互いに通知し、ＭＳ１０のＳｅｒｖｉｎｇ  ＢＳとなっている場合、近隣ＢＳごとに、予約帯域中の空き帯域の情報に基づいて、ＭＳ１０がＡｄｍｉｓｓｉｏｎ  Ｃｏｎｔｒｏｌにより収容不可能と判定されるか否かを予測し、収容不可能と判定されると予測した近隣ＢＳを、ＭＳ１０のＴａｒｇｅｔ  ＢＳの候補から除外する。
【００５８】
このように、近隣ＢＳ間で、使用可能な全帯域中の空き帯域ではなく、Ａｄｍｉｓｓｉｏｎ  Ｃｏｎｔｒｏｌで実際に用いる予約帯域中の空き帯域を互いに通知するため、近隣ＢＳによるＡｄｍｉｓｓｉｏｎ  ＣｏｎｔｒｏｌでＭＳ１０が収容不可能と判定されるか否かを、精度よく予測することができる。
【００５９】
また、Ａｄｍｉｓｓｉｏｎ  ＣｏｎｔｒｏｌでＭＳ１０が収容不可能と判定されると予測された近隣ＢＳについては、Ｔａｒｇｅｔ  ＢＳの候補から除外されるため、ＭＳ１０のハンドオーバ時に、Ｔａｒｇｅｔ  ＢＳのＡｄｍｉｓｓｉｏｎ  Ｃｏｎｔｒｏｌの制限によりハンドオーバが失敗するケースを減らすことができる。
【００６０】
また、本実施形態においては、ＢＳ２０−１〜２０−ｎは、ＭＳ１０のＳｅｒｖｉｎｇ  ＢＳとなっている場合、近隣ＢＳごとに、その近隣ＢＳとＭＳ１０との間の無線通信の品質に関する無線情報に基づいて、その近隣ＢＳがＭＳ１０のＴａｒｇｅｔ  ＢＳとなる場合の変調方式および符号化率の組み合わせを推定し、推定した組み合わせで適応変調を実行することを前提として、上記の予測を行う。
【００６１】
このように、近隣ＢＳとＭＳ１０との間の無線通信の品質に関する無線情報を基に推定した変調方式および符号化率の組み合わせで適応変調を実行することを前提として予測を行うため、さらに精度よく予測を行うことができる。
【００６２】
また、近隣ＢＳは、ＭＳ１０のハンドオーバによりＴａｒｇｅｔ  ＢＳとなる場合、ＭＳ１０との間でサービスフロー（Service Flow）を生成する。近隣ＢＳにおいて、このサービスフロー生成時に、物理レートが最低のＱＰＳＫ  １／２で適応変調を実行することを前提とすると、必要な予約帯域が大きくなりＡｄｍｉｓｓｉｏｎＣｏｎｔｒｏｌの制限を受ける可能性は高くなる。しかし、近隣ＢＳでの変調方式および符号化率の組み合わせが高物理レートのものと推定されていれば、Ｓｅｒｖｉｎｇ  ＢＳが、近隣ＢＳに対して、サービスフローの生成を許可しておくという制御も可能となる。
【００６３】
なお、本実施形態においては、ＤＬサブフレームの予約帯域中の空き帯域を用いてＡｄｍｉｓｓｉｏｎ  Ｃｏｎｔｒｏｌの制限を判定する場合を例に挙げて説明したが、本発明はこれに限らず、ＵＬサブフレームの予約帯域中の空き帯域を用いてＡｄｍｉｓｓｉｏｎ  Ｃｏｎｔｒｏｌの制限を判定することも可能である。
【００６４】
なお、本発明のＢＳ２０−１〜２０−ｎにて行われる方法は、コンピュータに実行させるためのプログラムに適用してもよい。また、そのプログラムを記憶媒体に格納することも可能であり、ネットワークを介して外部に提供することも可能である。
【図面の簡単な説明】
【００６５】
【図１】本発明の一実施形態の無線通信システムの構成を示すブロック図である。
【図２】図１に示した基地局の構成の一例を示すブロック図である。
【図３】図１に示した基地局が近隣基地局との間で互いに通知する、予約帯域中の空き帯域を説明する図である。
【図４】図１に示した基地局の動作の一例を説明するフローチャートである。
【図５】ＷｉＭＡＸのＤＬサブフレーム構造を説明する図である。
【符号の説明】
【００６６】
１０    端末（ＭＳ）
２０−１〜２０−ｎ    基地局（ＢＳ）
２１    無線通信部
２２    ネットワーク通信部
２３    ＲＲＣ部
２４    無線情報収集部
２５    帯域情報通知部
２６    変調方式推定部
２７    Ｔａｒｇｅｔ  ＢＳ候補選定部
２８    Ａｄｍｉｓｓｉｏｎ  Ｃｏｎｔｒｏｌ部
【図１】
2010147797.tif 000003
【図２】
2010147797.tif 000004
【図３】
2010147797.tif 000005
【図４】
2010147797.tif 000006
【図５】
2010147797.tif 000007
【手続補正書】
【提出日】平成22年2月24日(2010.2.24)
【手続補正１】
【補正対象書類名】特許請求の範囲
【補正対象項目名】全文
【補正方法】変更
【補正の内容】
【特許請求の範囲】
【請求項１】
端末と、前記端末のうち帯域保証が必要となるＱｏＳ（Quality of Service）クラスに属する制御対象の端末のハンドオーバ時に、自局が当該制御対象の端末の移動先基地局となる場合、当該制御対象の端末について、適応変調を実行した場合に自局に収容不可能か否かを判定するＡｄｍｉｓｓｉｏｎ  Ｃｏｎｔｒｏｌを実行する基地局と、を有してなる無線通信システムであって、
前記基地局は、
前記制御対象の端末に割り当て可能な帯域中の空き帯域を、近隣基地局との間で互いに通知する帯域情報通知部と、
自局が前記制御対象の端末の移動元基地局となる場合、近隣基地局ごとに、当該近隣基地局の前記空き帯域に基づいて、当該制御対象の端末が前記Ａｄｍｉｓｓｉｏｎ  Ｃｏｎｔｒｏｌにより収容不可能と判定されるか否かを予測し、収容不可能と判定されると予測した近隣基地局については、前記制御対象の端末の移動先基地局の候補から除外する候補選定部と、
自局が前記制御対象の端末の移動元基地局となる場合、当該制御対象の端末から、当該制御対象の端末と近隣基地局との間の無線通信の品質に関する無線情報を収集する無線情報収集部と、
自局が前記制御対象の端末の移動元基地局となる場合、近隣基地局ごとに、当該近隣基地局の前記無線情報に基づいて、当該近隣基地局が前記制御対象の端末の移動先基地局となる場合の変調方式および符号化率の組み合わせを推定する推定部と、を有し、
前記候補選定部は、近隣基地局が前記制御対象の端末の移動先基地局となる場合、当該近隣基地局において、前記推定部で推定された組み合わせで適応変調を実行することを前提として、前記予測を行う、無線通信システム。
【請求項２】
前記無線情報収集部は、前記制御対象の端末から、当該制御対象の端末が近隣基地局から受信した信号のＣＩＮＲ（Carrier to Interference plus Noise Ratio）およびＲＳＳＩ（Received Signal Strength Indication）の情報を、前記無線情報として収集する、請求項１に記載の無線通信システム。
【請求項３】
端末のうち帯域保証が必要となるＱｏＳクラスに属する制御対象の端末のハンドオーバ時に、自局が当該制御対象の端末の移動先基地局となる場合、当該制御対象の端末について、適応変調を実行した場合に自局に収容不可能か否かを判定するＡｄｍｉｓｓｉｏｎ  Ｃｏｎｔｒｏｌを実行する基地局であって、
前記制御対象の端末に割り当て可能な帯域中の空き帯域を、近隣基地局との間で互いに通知する帯域情報通知部と、
自局が前記制御対象の端末の移動元基地局となる場合、近隣基地局ごとに、当該近隣基地局の前記空き帯域に基づいて、当該制御対象の端末が前記Ａｄｍｉｓｓｉｏｎ  Ｃｏｎｔｒｏｌにより収容不可能と判定されるか否かを予測し、収容不可能と判定されると予測した近隣基地局については、前記制御対象の端末の移動先基地局の候補から除外する候補選定部と、
自局が前記制御対象の端末の移動元基地局となる場合、当該制御対象の端末から、当該制御対象の端末と近隣基地局との間の無線通信の品質に関する無線情報を収集する無線情報収集部と、
自局が前記制御対象の端末の移動元基地局となる場合、近隣基地局ごとに、当該近隣基地局の前記無線情報に基づいて、当該近隣基地局が前記制御対象の端末の移動先基地局となる場合の変調方式および符号化率の組み合わせを推定する推定部と、を有し、
前記候補選定部は、近隣基地局が前記制御対象の端末の移動先基地局となる場合、当該近隣基地局において、前記推定部で推定された組み合わせで適応変調を実行することを前提として、前記予測を行う、基地局。
【請求項４】
前記無線情報収集部は、前記制御対象の端末から、当該制御対象の端末が近隣基地局から受信した信号のＣＩＮＲおよびＲＳＳＩの情報を、前記無線情報として収集する、請求項３に記載の基地局。
【請求項５】
端末のうち帯域保証が必要となるＱｏＳクラスに属する制御対象の端末のハンドオーバ時に、自局が当該制御対象の端末の移動先基地局となる場合、当該制御対象の端末について、適応変調を実行した場合に自局に収容不可能か否かを判定するＡｄｍｉｓｓｉｏｎ  Ｃｏｎｔｒｏｌを実行する基地局による無線通信方法であって、
前記制御対象の端末に割り当て可能な帯域中の空き帯域を、近隣基地局との間で互いに通知する帯域情報通知ステップと、
自局が前記制御対象の端末の移動元基地局となる場合、近隣基地局ごとに、当該近隣基地局の前記空き帯域に基づいて、当該制御対象の端末が前記Ａｄｍｉｓｓｉｏｎ  Ｃｏｎｔｒｏｌにより収容不可能と判定されるか否かを予測し、収容不可能と判定されると予測した近隣基地局については、前記制御対象の端末の移動先基地局の候補から除外する候補選定ステップと、
自局が前記制御対象の端末の移動元基地局となる場合、当該制御対象の端末から、当該制御対象の端末と近隣基地局との間の無線通信の品質に関する無線情報を収集する無線情報収集ステップと、
自局が前記制御対象の端末の移動元基地局となる場合、近隣基地局ごとに、当該近隣基地局の前記無線情報に基づいて、当該近隣基地局が前記制御対象の端末の移動先基地局となる場合の変調方式および符号化率の組み合わせを推定する推定ステップと、を有し、
前記候補選定ステップでは、近隣基地局が前記制御対象の端末の移動先基地局となる場合、当該近隣基地局において、前記推定された組み合わせで適応変調を実行することを前提として、前記予測を行う、無線通信方法。
【請求項６】
前記無線情報収集ステップでは、前記制御対象の端末から、当該制御対象の端末が近隣基地局から受信した信号のＣＩＮＲおよびＲＳＳＩの情報を、前記無線情報として収集する、請求項５に記載の無線通信方法。
【請求項７】
端末のうち帯域保証が必要となるＱｏＳクラスに属する制御対象の端末のハンドオーバ時に、自局が当該制御対象の端末の移動先基地局となる場合、当該制御対象の端末について、適応変調を実行した場合に自局に収容不可能か否かを判定するＡｄｍｉｓｓｉｏｎ  Ｃｏｎｔｒｏｌを実行する基地局に、
前記制御対象の端末に割り当て可能な帯域中の空き帯域を、近隣基地局との間で互いに通知する帯域情報通知手順と、
自局が前記制御対象の端末の移動元基地局となる場合、近隣基地局ごとに、当該近隣基地局の前記空き帯域に基づいて、当該制御対象の端末が前記Ａｄｍｉｓｓｉｏｎ  Ｃｏｎｔｒｏｌにより収容不可能と判定されるか否かを予測し、収容不可能と判定されると予測した近隣基地局については、前記制御対象の端末の移動先基地局の候補から除外する候補選定手順と、
自局が前記制御対象の端末の移動元基地局となる場合、当該制御対象の端末から、当該制御対象の端末と近隣基地局との間の無線通信の品質に関する無線情報を収集する無線情報収集手順と、
自局が前記制御対象の端末の移動元基地局となる場合、近隣基地局ごとに、当該近隣基地局の前記無線情報に基づいて、当該近隣基地局が前記制御対象の端末の移動先基地局となる場合の変調方式および符号化率の組み合わせを推定する推定手順と、を実行させ、
前記候補選定手順では、近隣基地局が前記制御対象の端末の移動先基地局となる場合、当該近隣基地局において、前記推定された組み合わせで適応変調を実行することを前提として、前記予測を行う、プログラム。
【請求項８】
前記無線情報収集手順では、前記制御対象の端末から、当該制御対象の端末が近隣基地局から受信した信号のＣＩＮＲおよびＲＳＳＩの情報を、前記無線情報として収集する、請求項７に記載のプログラム。